(57)【特許請求の範囲】
【請求項１】
可視板（２）と、背面側の支持板（４）と、これらの可視板（２）と支持板（４）との間に設けられる、少なくとも１つの発光体（３）のための密閉された空間（５）とを含む層状構造を有する発光タイルであって、
前記発光体は少なくとも１つのＯＬＥＤ（３）を設けられ、前記可視板（２）に対向する背面に、前記発光体（３）の電気的接点が設けられ、
電子要素（９）が、電気的接点（７）を前記発光タイル（１）の背面に案内するための前記支持板（４）に形成されたくぼみ（８）内に配置されることを特徴とする発光タイル。
【請求項２】
スナップイン接点とばね接点（７）との少なくとも一方が設けられていることを特徴とする、請求項１に記載の発光タイル。
【請求項３】
２つ以上のＯＬＥＤが設けられていることを特徴とする、請求項１又は２に記載の発光タイル。
【請求項４】
種々のＯＬＥＤに関する複数の接点が設けられていることを特徴とする、請求項１から３のいずれか１つに記載の発光タイル。
【請求項５】
発光タイルの付加的な設計のために、銘刻と、プリントイメージと、ＬＣＤとのすくなくとも１つが設けられていることを特徴とする、請求項１から４のいずれか１つに記載の発光タイル。
【請求項６】
光学ろ過層が設けられていることを特徴とする、請求項１から５のいずれか１つに記載の発光タイル。
【請求項７】
１つ以上の電子要素（９）が前記発光タイル（１）に一体化されることを特徴とする、請求項１から６のいずれか１つに記載の発光タイル。
【発明の詳細な説明】
【技術分野】
【０００１】
本発明は、特許請求項１の序文に従った発光タイルに関連している。このタイプの発光タイルは、建築物の表面を覆う壁と床、特に浴室などの設計に関して公知である。このタイプの発光タイルは、例えば、ＤＥ  ２０  ２００４  ００６  ３８９  Ｕ１と、ＤＥ  １０  ２００５  ００２  ７８３  Ａ１において詳細が述べられている。
【背景技術】
【０００２】
これらの文書で明らかにされている発光体は、ＬＥＤである。しかしながら、フラットな（flat）設計においても、これらは、壁や床への一体化をより難しくする物理的高さを持っている。加えて、フラットな照明は、配置と電気的接続に関して、建築上の複雑さに対応する複数のＬＥＤを用いた時のみ可能である。基本的にＬＥＤは、点発光体(point emitters)としてより適切なものになっており、フラットな照明には適していない。
【０００３】
同様に、ＤＥ  ２０  ２００４  ００７  ８８１  Ｕ１では、エレクトロルミネセンス顔料(electroluminescent pigments)を発光体として持つ発光タイルが明らかにされている。しかしながら、このタイプの発光体は、いくつか不利な点がある。第１に、タイルが建築物内に設置されるには寿命が非常に短すぎるということである。加えて、この発光体の光度はとても低く、そのうえ一定ではない。最後に、電気的ルミネセンス(electrical luminescence)に基づいた発光体は、比較的高い電圧の供給を必要とし、特に、湿った環境での使用を妨げ、総合的にみると、同様に必要とする安全対策のための操作をより難しくする。
【発明の開示】
【０００４】
それゆえ、本発明の目的は、上述した不利な点が回避され、照明のタイプに関連して、大きな設計の自由度を可能となる発光タイルを提供することにある。
【０００５】
この目的は、それについて特徴とする点を述べた特許クレーム１の序文に従った発光タイルによって達成される。
【０００６】
下位クレームで示されている方法は、有利な実施形態を作り、本発明の改善を可能にする。
【０００７】
それゆえに、本発明に従った発光タイルには、提供される発光体の少なくとも１つがＯＬＥＤであるという特徴がある。
【０００８】
有機ＬＥＤ（いわゆるＯＬＥＤ）は、一方では二次元的に均一に、加えて構造上においても、簡単に適用されるという特徴がある。例えば、特にインクジェットプリンターなど、カラープリンターを用いる印刷様式で、液状でも適用される。
【０００９】
それゆえ、１つ以上のＯＬＥＤの使用は、発光体の構造における大きな設計の自由度を容易にする。
【００１０】
単純な変形例において、連続的にフラットな照明は、発光体を二次元的に対応付けて配置することによって達成される。しかしながら、例えば、設計上の理由で、発光体を備えた特定のグラフィックデザインを得ることもまた容易に可能となる。
【００１１】
発光タイルは、少なくとも１つの透明板と、１つ以上のＯＬＥＤとを備えた層構造で構成されることが好ましい。本発明では、少なくとも１つのＯＬＥＤのための空間が、可視板と背面の支持板との間に設けられる。この空間は、例えば、汚染、大気中の酸素、またはそのようなものなどの環境による障害の影響から保護するために密閉されている。
【００１２】
本発明において、発光体の電気的接続は、発光タイルの背面に設けられる。この方法によれば、観察者側からは見えない接続が可能となり、その結果、発光タイルは、継ぎ目なく、そして、その他のタイルとの結合パターン(join pattern)への接続と干渉することなく挿入される。
【００１３】
ここの接続は、例えば、スナップイン接点を含む。すなわち、接点要素が発光タイルの配置時に適合するカウンターピース(counter-piece)とロックする場合において、スナップイン接点が基板に設置される。
【００１４】
その他の実施形態においてばね接点が設けられ、発光タイルが基板に対して押し付けられるときに、カウンター接点(a counter-contact)と電気的に接続される。
【００１５】
すでに上述したように、電気的接続は、好ましくは、発光タイルの設置に先立って、建築中に建物内に予め設置され、これによって電気的接続は、タイルの設置時、例えば、スナップ嵌め（snap-fit）またはスプリング圧(spring pressure)によって容易に実現できる。
【００１６】
本発明の改善において、２つ以上のＯＬＥＤが提供される。このタイプのＯＬＥＤは、同じ色または異なる色で設計されることができる。これは、照明の設計において更なる可能性を提供する。それゆえ、例えば、絵画的デザイン、または、同じ色または異なる色の異なるＯＬＥＤの時間系列が可能になり、変化する照明もまた実現される。
【００１７】
ここで、複数の接点は建築中に予め設置されることが好ましく、その結果、個々のＯＬＥＤを別々に設置することが可能となる。
【００１８】
この実施形態の改善において、ＯＬＥＤピクセルと、対応する接点要素のマトリックスが提供され、これによって、ＯＬＥＤディスプレイまたはＯＬＥＤモニターがこのタイプの発光タイルにおいて達成される。
【００１９】
ディスプレイまたはモニターを達成するために、ＯＬＥＤ層に先立って付加的なＬＣＤを設置することもまた可能である。ここのＯＬＥＤ層は、望ましい構造が、ＬＣＤを設置することによりもたらされるので、単にフラットな発光体として用いられることができる。
【００２０】
１つ以上のＯＬＥＤを対応して配置した構造に加えて、カバー層を提供することも当然可能である。このタイプのカバー層は、例えば、銘刻、グラフィック表示、またはそのようなものを含み、発光体としてのＯＬＥＤの使用に関して、発光タイルの照明を設計するのに役立つ。
【００２１】
さらに、好ましくは、少なくとも１つの光学ろ過層(optical filter layer)が、例えば、発光体の色に影響を与えるためと／または、汚染に対する付加的な保護を与えるために、提供される。
【００２２】
本発明において、例えば、抵抗器、コンデンサ、または能動制御要素などの電子要素が発光タイル内にさらに一体化される。これらの構成要素は、例えば、ＯＬＥＤの背後に設置された層内に収納される。しかしながら、発光タイルは、全体を占有するのではなく、例えば、端部領域などの領域が、このタイプの電子要素の設置に利用できるように設計することができる。
【００２３】
その他の実施形態において、一体化されたアセンブリとして接点要素を備えた電子要素が提供される。ここの制御要素は、タイル及び／または建築物内に設けられる。
【００２４】
その他の、このタイプの電子要素を提供するその他の単純な方法は、例えば、電気的接点を背面すなわち支持板に案内するためのくぼみを非常に大きくすることであり、案内する（leaded-through）ラインに加えて、前記要素のためのさらなる空間が存在することである。
【００２５】
本発明の実例となる実施形態は、図面に示されており、図を参照して以下に詳しく説明されている。
【発明を実施するための最良の形態】
【００２６】
図１に従った発光タイル１は、少なくとも部分的に透明な可視板２と、ＯＬＥＤ層３と、背面の支持板４とが層をなして構成されている。原理的には、それ以上の中間層、例えば、ろ過層もまた、提供されるであろう。
【００２７】
可視板２と支持板４との間の空間５は、その端部がシール６で封止されている。シール６は同時にスペーサとしての機能も備える。
【００２８】
発光タイル１の電気的接続は、図１において例として示される、背面のかぎ型のスナップイン接点(a hook-shaped snap-in contact)７により実現される。スナップイン接点７は、詳細に示されてはいないが、ＯＬＥＤ層３の電極に接続されており、建築時に建物内に設置されたカウンターピース(a counter piece)と固定することができ、その結果、電気接点が発光タイル１の設置と同時に生じる。さらなる接点、例えば、図１に示されているスナップイン接点７上にあり、それゆえ図１に示さない、さらなるスナップイン接点７が、ＯＬＥＤ３を支持する(address)ために提供されるであろう。
【００２９】
支持板４を通る通路８は十分に広くとられており、この通路８はくぼみを形成し、例えば、電子制御要素９などの、付加的な要素を設けるための空間が存在する。加えて、通路８は、例えば、シリコンなどの、シーラント１０を用いて、液密と気密の状態で密閉される。
【００３０】
図２は、発光タイル１の平面図を示している。この単純な変形例において、発光体、すなわちＯＬＥＤ層３は、長方形であり、単純でフラットな照明が得られる。しかしながら、すでに上述した通り、ＯＬＥＤ層を用いれば、後者は、容易にパターニングされるかあるいはその他の方法でグラフィックデザインを施される。同様に、特定の状況下において、グラフィックデザインが施されている複数のＯＬＥＤ要素を用いることもまた可能である。対応する制御(a corresponding control)を用いることにより、同じ色、または異なる色の１つ以上のＯＬＥＤを、同時に、または特定の時間系列で設ける(address)ことが可能である。
【００３１】
対応するピクセル数と接続要素とを備えたディスプレイを設計することも容易に考えられる。
【００３２】
それゆえ、ＯＬＥＤ層３の精密な設計は、多種多様な方法において実行されることが可能である。しかしながら、本発明の主な要点は、発光タイルのための発光体として１つ以上のＯＬＥＤを用いることによって、設計の可能性について多くの自由度が得られることである。
【００３３】
参照記号一覧
１発光タイル、２可視板、３ＯＬＥＤ層、４支持板、５空間、６シール、７スナップイン接点、８通路、９制御要素、１０シーラント
【図面の簡単な説明】
【００３４】
【図１】本発明に従った、発光タイルの部分図を示している。
【図２】本発明に従った、発光タイルの平面図を示している。
【図１】
0005566685.tif 000002
【図２】
0005566685.tif 000003